(57)【要約】【課題】従来の照明器具では照明器具の本体と点消灯や調光をするための操作部分とが別体に構成され、操作部分が壁面に取りつけられているため、例えば台所の吊り戸棚の底面に照明器具を取りつけた場合には、点消灯する場合や調光する場合には、わざわざ照明器具の設置場所から離れて操作部分が取り付けられている位置まで操作者が移動しなければならない。【解決手段】発光部の近傍に静電容量式の近接センサを設け、照明器具の表面に操作者の手を近接させ、その手を照明器具の表面に接触させること無く調光操作を行うことができるように構成した。【選択図】  図２
2016091924.tif 000002
【特許請求の範囲】
【請求項１】
操作者の手の届く位置に設置され、内部に発光部を備えた照明器具において、上記発光部の近傍に静電容量式の近接センサを設け、照明器具の表面に操作者の手を近接させ、その手を照明器具の表面に接触させること無く調光操作を行うことができるように構成したことを特徴とする照明装置。
【請求項２】
上記近接センサとして複数の検知部を並べて配置し、各検知部の各々に上記発光部の輝度を設定しておき、上記手が近接された検知部に設定された輝度になるように上記発光部の輝度を調光するようにしたことを特徴とする請求項１に記載の照明装置。
【請求項３】
上記手の移動方向および移動速度を検知し、移動速度が所定の基準速度より速い場合に、手が離れた位置より移動方向側の検知部に対応する検知部に設定された輝度に発光部を調光することを特徴とする請求項２に記載の照明装置。
【発明の詳細な説明】
【技術分野】
【０００１】
本発明は、例えば台所の吊り戸棚の底面のように、操作者の手の届く位置に設置される照明装置に関する。
【背景技術】
【０００２】
室内に設置される照明器具では、照明器具が室内の天井に設置される場合には、照明器具に手が届かないので、点消灯するためのスイッチが室内の壁面に取りつけられている。また、点消火のみでは無く、輝度を増減して調光する場合には、調光するための操作部を同じく壁面に取りつけている（例えば、特許文献１参照）。
【先行技術文献】
【特許文献】
【０００３】
【特許文献１】特開２０１４−１２０２０８号公報（［００１６］、図２）
【発明の概要】
【発明が解決しようとする課題】
【０００４】
上記従来の照明器具では、照明器具の本体と点消灯や調光をするための操作部分とが別体に構成され、操作部分が壁面に取りつけられているため、例えば台所の吊り戸棚の底面に照明器具を取りつけた場合には、点消灯する場合や調光する場合には、わざわざ照明器具の設置場所から離れて、操作部分が取り付けられている位置まで操作者が移動しなければならないという不具合が生じる。
【０００５】
また、このような台所に取り付けられている照明器具の操作を行う際には、操作者の手が濡れている場合が多く、操作する毎に手を拭かなければならないという煩わしさがある。
【０００６】
そこで本発明は、上記の問題点に鑑み、操作者が操作部分まで移動することなく点消灯や調光操作ができ、かつ、手が濡れていても操作することのできる照明装置を提供することを課題とする。
【課題を解決するための手段】
【０００７】
上記課題を解決するために本発明による照明装置は、操作者の手の届く位置に設置され、内部に発光部を備えた照明器具において、上記発光部の近傍に静電容量式の近接センサを設け、照明器具の表面に操作者の手を近接させ、その手を照明器具の表面に接触させること無く調光操作を行うことができるように構成したことを特徴とする。
【０００８】
上記構成では、発光部の近傍に近接センサが設けられているので、操作者が操作する際に照明器具の設置位置から移動する必要が無い。また、照明器具の表面に手を接触させること無く操作できるので、手が濡れていても操作する毎に手を拭く必要が無い。
【０００９】
なお、上記近接センサとして複数の検知部を並べて配置し、各検知部の各々に上記発光部の輝度を設定しておき、上記手が近接された検知部に設定された輝度になるように上記発光部の輝度を調光するようにしてもよい。
【００１０】
さらに、上記手の移動方向および移動速度を検知し、移動速度が所定の基準速度より速い場合に、手が離れた位置より移動方向側の検知部に対応する検知部に設定された輝度に発光部を調光するように構成してもよい。
【発明の効果】
【００１１】
以上の説明から明らかなように、本発明は、発光部の近傍に近接センサが設けられているので、操作者が操作する際に照明器具の設置位置から移動する必要が無く、また、照明器具の表面に手を接触させること無く操作できるので、手が濡れていても操作する毎に手を拭かなくてもよい。
【図面の簡単な説明】
【００１２】
【図１】照明器具の取付状態を示す図
【図２】照明器具の内部構造を示す図
【図３】手による操作の一例を示す図
【図４】手による操作の他の例を示す図
【発明を実施するための形態】
【００１３】
図１を参照して、１は本発明による照明器具の一例であって、台所に設置されている吊り戸棚の底面Ｂに設置されている。この照明器具１には内部に後述する発光部が収納された主室部１１と、制御部や電源部が収納された副室部１２とが設けられている。
【００１４】
図２を参照して、上記主室部１１には基板２が収納されている。この基板２の表面には８個の検知部３１〜３８が設けられており、各検知部３１〜３８は制御部３に連結されている。これら検知部３１〜３８は静電式の近接センサとして機能するものであり、操作者の手が検知部３１〜３８のいずれかに近づくと、制御部３はどの検知部に手が近づいたかを検知することができる。
【００１５】
副室部１２には制御部３の他に電源部５が収納されており、外部からの電力を所定の電圧の電力に変換して制御部３に供給している。制御部３はその供給された電力によって発光部であるＬＥＤ４を発光させる。
【００１６】
本実施の形態では、８個のＬＥＤ４を各検知部３１〜３８の近傍に実装した。なお、ＬＥＤ４の個数は検知部３１〜３８の個数に一致させる必要は無い。また、ＬＥＤ４の輝度は制御部３によって調光されるが、本実施の形態では各ＬＥＤ４はすべて同じ輝度に調光される。ただし、複数のＬＥＤ４をいくつかのグループに分けてグループ毎に異なる輝度に調光してもよい。
【００１７】
上記構成による照明器具１の動作の一例を図３を参照して説明する。上述のように、照明器具１内には近接センサが内蔵されているので、操作者は手Ｈを照明器具１の下方に近づけるだけで、照明器具１に接触させなくても各検知部３１〜３８は手Ｈが近づいたことを検知する。
【００１８】
輝度をＬ１〜Ｌ８の８段階に設定し、各検知部３１〜３８を各輝度Ｌ１〜Ｌ８に順次関連づけた。照明器具１が消灯状態で、例えば照明器具１内の左端に位置する検知部３１に手Ｈを近づけると、制御部３はまず最初に手Ｈが近づいたことにより消灯状態から点灯状態になる。その際、検知部３１に関連づけられている輝度Ｌ１になるように、すべてのＬＥＤ４の輝度を最も輝度が低いＬ１で発光させる。
【００１９】
その点灯状態で手Ｈを他の検知部に近づけると、その検知部に関連づけられてる輝度になるように制御部は輝度を変更する。例えば手Ｈを右端の検知部３８に近づけると、すべてのＬＥＤ４の輝度を最も明るい輝度Ｌ８に変更する。なお、いずれかの検知部に手を近づけたままの状態を所定時間継続した後、手Ｈを照明器具１から離すと、ＬＥＤ４を消灯するようにした。
【００２０】
上記図３に示した動作では、手Ｈの移動方向や移動速度は検知しないので、手を近づけた位置に配設されている検知部に関連づけられている輝度に調光されるが、図４に示すように、図３に示す調光操作にくわえて、手Ｈの移動方向および移動速度を加味してもよい。
【００２１】
例えば、手Ｈを検知部３８に近づけると輝度はＬ８になり、そのまま手Ｈを左方向にスライドして検知部３５の位置で手Ｈを下方に下げると、上記図３に示した制御では輝度はＬ５になる。ところが、検知部３８から検知部３５までの移動速度が所定の移動速度より速い場合には、輝度をＬ５よりもさらに暗いＬ４もしくはＬ３に調光する。これにより、図３に示したような輝度を正確に変更する場合の他、単に現状より暗くしたい場合や明るくしたい場合には、手Ｈの水平方向のストロークが短くても調光量を大きくすることができる。
【００２２】
なお、本発明は上記した形態に限定されるものではなく、本発明の要旨を逸脱しない範囲内において種々の変更を加えてもかまわない。
【符号の説明】
【００２３】
１  照明器具
２  基板
３  制御部
３１〜３８  検知部
４  ＬＥＤ
５  電源部
Ｈ  手
Ｌ１〜Ｌ８  輝度
【図１】
2016091924.tif 000003
【図２】
2016091924.tif 000004
【図３】
2016091924.tif 000005
【図４】
2016091924.tif 000006